(57)【要約】【課題】            直線状のみならず曲線状や直角な折れ曲り線状の地中壁もチェーン式掘削装置を地上に引き上げて新たにセットアップし直すことなく連続して築造でき、しかも、河川の堤などの狭い場所の中央であっても地中壁が築造できるようにする。【解決手段】        走行体を有するベースマシンには可動可能なアームが設けられ、このアームにチェーン式掘削装置が設けられる。このチェーン式掘削装置は、掘削歯を備えた複数のエンドレスチェーンが互いに独立してカッターポストの上下両端間に循環可能に掛け渡されてなり、複数のエンドレスチェーンを正回転または逆回転させたり、別々に回転速度および回転方向を変えたりすることを選択的に実施する。【選択図】          図１
2005030142.tif 000002
【特許請求の範囲】
【請求項１】
走行体を有するベースマシンには可動可能なアームが設けられ、掘削歯を備えたエンドレスチェーンがカッターポストの上下両端間に循環可能に掛け渡されてなるチェーン式掘削装置を、該アームに取付た築造装置を用いて処理材と掘削土を撹拌混合することにより地中壁を築造する工法であって、
前記チェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結され、そのエンドレスチェーンは独立して正回転または逆回転されるものであり、複数のエンドレスチェーンを正回転または逆回転したり、複数のエンドレスチェーンの回転速度を変えたり、および複数のエンドレスチェーンの回転方向を変えたりすることを選択的に実施して掘削することを特徴とする地中壁の築造工法。
【請求項２】
走行体を有するベースマシンには可動可能なアームが設けられ、掘削歯を備えたエンドレスチェーンがカッターポストの上下両端間に循環可能に掛け渡されてなるチェーン式掘削装置を、該アームに取付た築造装置を用いて処理材と掘削土を撹拌混合することにより地中壁を築造する工法であって、
予め地盤に地上から最深部に向かって傾斜底面となっているガイドトレンチを形成する第１工程と、
ベースマシンのアームにチェーン式掘削装置の建て込んだとき上端となる側を回転自在に連結した後、ベースマシンによりチェーン式掘削装置を傾斜底面にガイドさせつつ下端が最深部に到達するまで挿入し、チェーン式掘削装置をガイドトレンチ内の最深部から傾斜底面に沿って位置させる第２工程と、
この状態でチェーン式掘削装置を駆動させガイドトレンチの傾斜底面を主にチェーン式掘削装置の自重による掘削歯の抵抗により掘削しつつベースマシンを徐々に進めることにより傾斜状態にあったチェーン式掘削装置を、徐々に垂直状態にし、垂直状態になったらチェーン式掘削装置を固定手段によりベースマシンのアームに固定する第３工程と、
その後、チェーン式掘削装置を駆動し掘削土と処理材を撹拌混合しつつ徐々にベースマシンを前進または後退させることによって地中壁を築造する第４工程とよりなることを特徴とする地中壁の築造工法。
【請求項３】
前記チェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結され、そのエンドレスチェーンは独立して正回転または逆回転さされるものであり、複数のエンドレスチェーンを正回転または逆回転したり、複数のエンドレスチェーンの回転速度を変えたり、および複数のエンドレスチェーンの回転方向を変えたりすることを選択的に実施して掘削することを特徴とする請求項２記載の地中壁の築造工法。
【請求項４】
走行体を有するベースマシンには可動可能なアームが設けられ、掘削歯を備えたエンドレスチェーンがカッターポストの上下両端間に循環可能に掛け渡されてなるチェーン式掘削装置を、該アームに取付た築造装置を用いて処理材と掘削土を撹拌混合する地中壁の築造装置であって、
前記チェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結され、そのエンドレスチェーンは独立して正回転または逆回転されることを特徴とする地中壁の築造装置。
【請求項５】
掘削歯を備えた複数のエンドレスチェーンの一部または全部が互いに独立してカッターポストの上下両端間に循環可能に掛け渡されてなり、この複数のエンドレスチェーンの一部または全部にはそれぞれに独立したモータが連結され、そのエンドレスチェーンは独立して正回転または逆回転されることを特徴とする地中壁の築造装置におけるチェーン式掘削装置。
【発明の詳細な説明】
【技術分野】
【０００１】
この発明は、地盤を掘削し、掘削した原地盤土砂と処理材（例えば、セメントスラリー）を撹拌混合しながら地中壁を築造する工法、地中壁の築造装置および地中壁の築造装置におけるチェーン式掘削装置に関する。
【背景技術】
【０００２】
従来、地盤を掘削し、この掘削土を処理材（例えば、セメントスラリー）を撹拌混合しながら地中壁を築造する方法として、図１２に示すように掘削歯１１１を備えたエンドレスチェーン１１０がカッターポスト１０９の上下両端間に掛け渡されてなるチェーン式掘削装置１０８が、走行体１０３を有するベースマシン１０２に設けられたガイドフレーム１０４に沿って掘削方向に移動可能な構造を持つ掘削装置１０１を使用する築造方法がある（例えば、特許文献１参照）。
このような掘削装置１０１を使用する地中壁の築造方法では、図１２に示すようにベースマシン１０２の進行方向に対し側方に取付たガイドフレーム１０４に沿ってチェーン式掘削装置１０８が直線状にのみ移動するため、曲線や直角に折れ曲がった地中壁の築造においては、その都度チェーン式掘削装置１０８を地上に引き上げて、新たにセットアップし直すという作業が必要となり、時間と労力を要する課題がある。
【０００３】
また、図１２に示すようにチェーン式掘削装置１０８がベースマシン１０２の側方に位置するため、例えば河川の堤のような狭い場所では、中央に地中壁を築造しようとすると掘削装置（ベースマシン）１０１を片側方向に寄せなければならないので、そのスペースがなく築造が困難となる課題がある。
【０００４】
また、河川の堤のような狭い場所でも、中央に地中壁を築造できるものとしてバックホウのアームの先端に取り付けたトレンチャー（掘削歯が取り付けられて循環するチェーン部分）を地盤中に貫入して処理材と原位置土の撹拌混合を行う方法も実施されている（例えば、非特許文献１参照）。
しかし、この方法もトレンチャーの掘削歯を取付けた一本のチェーンが、正回転または逆回転するだけであるので、曲線や直角に折れ曲がった地中壁の築造においては、その都度トレンチャーを地上に引き上げて、新たにセットアップし直すという作業が必要となり、作業効率が悪いし労力もかかる課題がある。
【特許文献１】特公平８−６３４８号公報
【非特許文献１】社団法人セメント協会、「セメント系固化材による地盤改良マニュアル」第２版、２５８頁
【発明の開示】
【発明が解決しようとする課題】
【０００５】
この発明は、このような課題を解決せんと提案されたものであり、その目的は、直線状のみならず曲線状や直角な折れ曲がり線状の地中壁も、チェーン式掘削装置を地上に引き上げて新たにセットアップし直すことなく連続して築造でき、しかも、例えば堤などの狭い場所の中央であっても地中壁が築造できる地中壁の築造工法、地中壁の築造装置および地中壁の築造装置におけるチェーン式掘削装置の提供にある。
【課題を解決するための手段】
【０００６】
前記課題を解決するため、この発明の地中壁の築造工法は、走行体を有するベースマシンには可動可能なアームが設けられ、掘削歯を備えたエンドレスチェーンがカッターポストの上下両端間に循環可能に掛け渡されてなるチェーン式掘削装置を、該アームに取付た築造装置を用いて処理材と掘削土を撹拌混合することにより地中壁を築造する工法であって、
前記チェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結され、そのエンドレスチェーンは独立して正回転または逆回転されるものであり、複数のエンドレスチェーンを正回転または逆回転したり、複数のエンドレスチェーンの回転速度を変えたり、および複数のエンドレスチェーンの回転方向を変えたりすることを選択的に実施して掘削することを特徴とする。
【０００７】
このチェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結されているので、その掘削歯を備えた複数のエンドレスチェーンは、それぞれ独立して正回転または逆回転できるし、回転速度および回転方向もそれぞれ自由に選択できる。従って、これを適宜選択して施工することにより直線状だけでなく曲線状や直角な折り曲り線状の地中壁もセットアップし直すことなく連続して築造することができる。
また、このチェーン式掘削装置は、ベースマシンに可動可能に設けられたアームに取付けられているので、例えば、河川の堤などの狭い場所の中央であっても容易に地中壁の築造が施工できる。
【０００８】
また、この発明の地中壁の築造工法は、走行体を有するベースマシンには可動可能なアームが設けられ、掘削歯を備えたエンドレスチェーンがカッターポストの上下両端間に循環可能に掛け渡されてなるチェーン式掘削装置を、該アームに取付た築造装置を用いて処理材と掘削土を撹拌混合することにより地中壁を築造する工法であって、
予め地盤に地上から最深部に向かって傾斜底面となっているガイドトレンチを形成する第１工程と、
ベースマシンのアームにチェーン式掘削装置の建て込んだとき上端となる側を回転自在に連結した後、ベースマシンによりチェーン式掘削装置を傾斜底面にガイドさせつつ下端が最深部に到達するまで挿入し、チェーン式掘削装置をガイドトレンチ内の最深部から傾斜底面に沿って位置させる第２工程と、
この状態でチェーン式掘削装置を駆動させガイドトレンチの傾斜底面を主にチェーン式掘削装置の自重による掘削歯の抵抗により掘削しつつベースマシンを徐々に進めることにより傾斜状態にあったチェーン式掘削装置を、徐々に垂直状態にし、垂直状態になったらチェーン式掘削装置を固定手段によりベースマシンのアームに固定する第３工程と、
その後、チェーン式掘削装置を駆動し掘削土と処理材を撹拌混合しつつ徐々にベースマシンを前進または後退させることによって地中壁を築造する第４工程とよりなることを特徴とする。
これによりチェーン式掘削装置を地盤中に容易に能率よく建て込み、地中壁の施工ができる。
【０００９】
また、この発明の地中壁の築造工法は、前記チェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結され、そのエンドレスチェーンは独立して正回転または逆回転さされるものであり、その複数のエンドレスチェーンを正回転または逆回転したり、その複数のエンドレスチェーンの回転速度を変えたり、およびその複数のエンドレスチェーンの回転方向を変えたりすることを選択的に実施して掘削することを特徴とする。
これによりチェーン式掘削装置を地盤中に容易に能率的に建て込み、直線状だけでなく曲線状や直角な折り曲げ線状の地中壁を、セットアップし直すことなく連続して施工できるし、例えば、河川の堤などの狭い場所の中央でも地中壁の施工ができる。
【００１０】
また、この発明の地中壁の築造装置は、走行体を有するベースマシンには可動可能なアームが設けられ、掘削歯を備えたエンドレスチェーンがカッターポストの上下両端間に循環可能に掛け渡されてなるチェーン式掘削装置を、該アームに取付た築造装置を用いて処理材と掘削土を撹拌混合する地中壁の築造装置であって、
前記チェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれ独立したモータが連結され、そのエンドレスチェーンは独立して正回転または逆回転されることを特徴とする。
この築造装置によれば掘削歯を備えた複数のエンドレスチェーンを、それぞれ独立して正回転または逆回転させたり、互いの回転速度を変えたり、互いの回転方向を変えたりすることができるので、これらの動作を選択して施工することで直線状はもちろんのこと曲線状や直角な折り曲り線状の地中壁を、セットアップし直すことなく連続して築造することができる。また、この築造装置のチェーン式掘削装置は、ベースマシンに可動可能に設けられたアームに取付けられているので、例えば、河川の堤などの狭い場所の中央であっても地中壁の築造ができる。
【００１１】
さらに、この発明の地中壁の築造装置におけるチェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にはそれぞれに独立したモータが連結され、そのエンドレスチェーンは独立して正回転または逆回転されることを特徴とする。
これにより掘削歯を備えた複数のエンドレスチェーンを、それぞれ独立して正回転または逆回転させたり、互いの回転速度を変えたり、互いの回転方向を変えたりすることができるので、これらの動作を選択して施工することで直線状はもちろんのこと曲線状や直角な折り曲り線状の地中壁を、セットアップし直すことなく連続して築造することができる。また、このチェーン式掘削装置は、他の種々の施工機に採用してもよいことはもちろんである。
【００１２】
なお、この発明で走行体を有するベースマシンにアームを可動可能に設けた装置としては、例えばバックホウを挙げることができ、ベースマシンは走行体に対し旋回可能となっているものが好ましいが、これは旋回不可であってもよい。また、アームの可動範囲としては、前後、上下、左右を例示でき、ベースマシンが旋回可能な場合には、旋回させて掘削位置を変更させることもできる。
また、この発明の処理材としては、一般に地盤改良に使用されるものであればよく、例えばセメントスラリーやセメント系固化材液であっても、軽量体等の粒状体等でも、振動遮断用の目的に使用されるものであってもよい。
【発明の効果】
【００１３】
以上詳細に説明した通り、この発明の地中壁の築造工法、地中壁の築造装置および地中壁の築造装置におけるチェーン式掘削装置は、次のような効果を奏する。
（１）この発明によればチェーン式掘削装置は、掘削歯を備えた複数のエンドレスチェーンの一部または全部が互いに独立してカッターポストの上下両端間に循環可能に掛け渡されてなり、この複数のエンドレスチェーンの一部または全部にそれぞれ独立したモータが連結されているので、その掘削歯を備えた複数のエンドレスチェーンは、それぞれ独立して正回転または逆回転できるし、互いの回転速度および回転方向を同一としたり変えたりすることができる。従って、これらを適宜選択して施工することにより直線状だけでなく曲線状や直角な折り曲り線状の地中壁もセットアップしなおすことなく連続して築造することができる。
【００１４】
（２）この発明の築造装置は、ベースマシンに可動可能に設けられたアームにチェーン式掘削装置が取り付けられているので、この発明によれば、例えば、河川の堤などの狭い場所の中央であっても容易に地中壁の築造ができる。
（３）この発明の地中壁の築造工法によれば、チェーン式掘削装置を地盤中に容易に能率よく建て込み、地中壁の施工ができる。
【発明を実施するための最良の形態】
【００１５】
以下、この発明を図面に示す実施の形態について詳細に説明する。図１はこの発明の実施の形態に係る地中壁の築造装置を示す斜視図、図２はこの発明の実施の形態に係る地中壁の築造装置を示す側面図、図３はこの発明の実施の形態に係る地中壁の築造装置を示す平面図である。
【００１６】
この地中壁の築造装置１は、走行体３を有するベースマシン２に、可動可能なアーム４が設けられており、バックホウと同様な構成となっている。このアーム４は、本例では主アーム４ａ、第１アーム４ｂ、第２アーム４ｃで構成されており、主アーム４ａはベースマシン２に回動可能に枢着されシリンダ５により駆動され、第１アーム４ｂは主アーム４ａの先端に回動可能に枢着されシリンダ６により駆動され、第２アーム４ｃは第１アーム４ｂの先端に回動可能に枢着されシリンダ７により駆動される。
【００１７】
このアーム４を構成する第２アーム４ｃの先端にチェーン式掘削装置８が取付けられる。このチェーン式掘削装置８は、掘削歯１１を備えた複数のエンドレスチェーン１０がカッターポスト９の上下両端間に循環可能に掛け渡されて構成されている。詳しくは、カッターポスト９が第２アーム４ｃの先端に回動可能に取付けられており、着脱自在の固定ピン１７を装着することによってカッターポスト９は垂直状態に固定される。このカッターポスト９の上端には複数の駆動スプロケット１３、１３ａが、下端には複数のガイドスプロケット１４が回転自在に設けられており、この上下のスプロケット１３、１３ａ、１４にエンドレスチェーン１０が懸回されて循環可能となっている。本例では上端に３個の駆動スプロケット１３、１３ａ、１３が設けられ、下端に３個のガイドスプロケット１４、１４、１４が設けられ、３条のエンドレスチェーン１０が設けられている。
【００１８】
前記カッターポスト９の上端に設けられた少なくとも左右の最外側のスプロケット１３、１３には、それぞれ別々の独立したモータ１５、１６が連結されており、該スプロケット１３、１３は、それぞれのモータ１５、１６で独立して正回転または逆回転される。従って、このスプロケット１３、１３に懸回されている左右の外側のエンドレスチェーン１０、１０も互いに独立して正回転または逆回転される。図４はチェーン式掘削装置のカッターポストを示す正面図であるが、前記様子は図４によくあらわれている。
図５は上端の左右外側の駆動スプロケット部分の拡大側面図、図６は上端の中央の駆動スプロケット部分の拡大側面図である。同図に示すように本例ではカッターポスト９の上端の３個のスプロケットの内、左右外側の駆動スプロケット１３は大径であり、中央のスプロケット１３ａは小径となっている。そして、少なくとも左右外側のスプロケット１３、１３には独立のモータ１５、１６が連結され、それぞれ独立して回転するが、中央の小径のスプロケット１３ａは両側のいずれかのスプロケット１３と連動してもよいし、別のモータ（図示省略）で独立して回転してもよい。
【００１９】
図７はチェーン式掘削装置を示す側面図で、一部分が拡大して示されている。図８はエンドレスチェーンの掘削歯を説明する拡大平面図、図９はエンドレスチェーンの邪魔板を説明する拡大平面図である。この図７に示すようにエンドレスチェーン１０には、掘削歯１１と邪魔板１２とが列設されている。掘削歯１１はエンドレスチェーン１０の循環駆動により地盤の溝状断面を縦方向（垂直方向）に切削（掘削）するものであり、邪魔板１２は切削土（掘削土）の移動を行うものである。従って、チェーン式掘削装置８を駆動すると、エンドレスチェーン１０の循環とともに掘削歯１１と邪魔板１２が地盤中を循環することにより掘削する。この時、処理材を供給すると掘削土と撹拌混合され地中壁が築造される。
【００２０】
しかして、この地中壁の築造装置１によれば、チェーン式掘削装置８の下端（底部）を地盤の所定の深度まで挿入し、エンドレスチェーン１０を循環させながら、アーム４または走行体３の移動（築造装置１の移動）によりチェーン式掘削装置８を移動させることによって、処理材と掘削土が撹拌混合された地中壁を築造できる。この時、チェーン式掘削装置８は、掘削歯１１を備えた複数のエンドレスチェーン１０が、互いに独立してカッターポスト９の上下両端間のスプロケット１３、１４間に循環可能に掛け渡されてなり、この複数のエンドレスチェーン１０にはそれぞれモータ１５、１６が連結されているので、それぞれ独立して正回転または逆回転できる。従って、掘削歯１１を備えた複数のエンドレスチェーン１０を、それぞれ独立して正回転または逆回転させたり、互いの回転速度を同一としたり変えたり、互いの回転方向を同一としたり変えたりすることができるので、これらの動作を選択して施工することで、チェーン式掘削装置８は、直線状の移動だけでなく、曲線状および直角な折れ曲がり線状にも移動可能となる。これによりこの地中壁の築造装置１によれば、直線状はもちろんのこと曲線状や直角な折り曲り線状の地中壁も、セットアップし直すことなく連続して築造できる。
【００２１】
次に前記地中壁の築造装置を使用して地中壁を築造する工法を、図１０および図１１について説明する。図１０（Ａ）〜（Ｄ）、図１１（Ｅ）〜（Ｇ）は、地中壁を築造する工法を工程順（施工順）に示した説明図である。
まず、図１０（Ａ）に示すように予め地盤に地上から最深部２１ｂに向かって傾斜底面２１ａとなっているガイドトレンチ（ガイド溝）２１を形成する。このガイドトレンチ２１の形成は、バックホウ等の掘削装置を用いて行う。
次に、図１０（Ｂ）に示すようにガイドトレンチ２１近傍の地上においてチェーン式掘削装置８を組立てる。この図１０（Ｂ）では、組立てられたチェーン式掘削装置８が地上にねかされている状態が示されている。この時のチェーン式掘削装置８の長さ、つまりカッターポスト９の長さは、地中壁の計画深さに合わせて選択される。
【００２２】
次に図１０（Ｃ）に示すようにベースマシン２のアーム４に、前記チェーン式掘削装置８のアーム４にガイドトレンチ２１に建て込んだとき上端となる側を回転自在に連結した後、図１０（Ｄ）に示すようにベースマシン２によりチェーン式掘削装置８を移動させガイドトレンチ２１の傾斜底面２１ａにガイドさせつつ下端が最深部２１ｂに到達するまでガイドトレンチ２１に挿入する。図１０（Ｄ）はチェーン式掘削装置８がガイドトレンチ２１の途中まで建て込まれた状態を示し、図１１（Ｅ）は完全に建て込まれた状態を示す。
【００２３】
このチェーン式掘削装置８のガイドトレンチ２１への建て込みは、他の方法であってもよい。その一例を次に示す。
ガイドトレンチ２１を掘削したら、このガイドトレンチ２１を跨いで架台を設置してその上にチェーン式掘削装置８を水平に組立てる。この時チェーン式掘削装置８を組立てるカッターポスト９の長さは、築造しようとする地中壁の計画深さに合わせて選択される。次にベースマシン２を移動してアーム４とチェーン式掘削装置８の最頂部を回転ピンで回転自在に連結する。この時は固定手段としての固定ピン１７（図１参照）はまだ使用せず、回転自在となっている。この状態でアーム４に回転自在に連結されたチェーン式掘削装置８は、クレーンにより水平に保持した後、架台を取り除き、クレーンによりガイドトレンチ２１内に降ろし、図１１（Ｅ）に示すように先端がガイドトレンチ２１の最深部２１ｂに位置して傾斜底面２１ａに設置して建て込む。
チェーン式掘削装置８のガイドトレンチ２１への建て込みに際しては、ガイドトレンチ２１の溝壁が崩壊しないようにガイドトレンチ２１内をベントナイト安定液で満たすのが好ましい。
【００２４】
チェーン式掘削装置８が図１１（Ｅ）に示すようにガイドトレンチ２１に建て込まれたら、チェーン式掘削装置８を駆動させると、モータ１５、１６によりエンドレスチェーン１０が循環し、ガイドトレンチ２１の傾斜底面２１ａはチェーン式掘削装置の自重による掘削歯１１（邪魔板１２も含む）の抵抗により掘削されるから、ベースマシン２を徐々に進めると、図１１（Ｆ）および（Ｇ）に示すように傾斜状態にあったチェーン式掘削装置８は、ガイドトレンチ２１の傾斜底面を掘削（切削）しつつ徐々に垂直状態になる。チェーン式掘削装置８が図１１（Ｇ）に示すように垂直状態になったら、チェーン式掘削装置８は、図１に示すように固定手段としての固定ピン１７でアーム４に固定する。これによりチェーン式掘削装置８は、アーム４に対する回転が規制されて回転不可となる。
【００２５】
そこで、チェーン式掘削装置８のエンドレスチェーン１０を正回転させて溝壁前面を掘削（切削）すると共に、処理材を供給して掘削土と処理材を撹拌混合して地中壁（ソイルセメント壁）を築造する。この地中壁の築造はベースマシン２を後退させつつ行うので地中壁が連続して築造される。
この時、地中壁の築造装置１のチェーン式掘削装置８は、左右両側のエンドレスチェーン１０、１０がそれぞれ独立して循環可能となっており、それぞれのエンドレスチェーン１０、１０にはそれぞれ独立したモータが連結されて循環されるようになっているので、エンドレスチェーン１０、１０は正回転のみならず逆回転により溝壁切削面（掘削面）から離れて（後退して）掘削土と処理材の撹拌混合を行うことも、また、左右のエンドレスチェーン１０、１０の回転速度を変えて、掘削方向（地中壁の築造方向）を制御することも、さらに、左右のエンドレスチェーン１０、１０の回転方向を互いに逆方向に回転して進行方向を制御して、曲線状や折れ曲がり線状に屈曲した地中壁や直角に曲った地中壁を築造することもできる。
【００２６】
ここでの掘削土と撹拌混合される処理材の供給方法は、地表部に処理材を敷設したり、地上部に設けた溝内に処理材を満たすことにより、エンドレスチェーン１０の回転によって処理材を地中に送り込む手段、エンドレスチェーン１０の地中に向かう側に処理材を供給してエンドレスチェーン１０の回転によって処理材を地中に送り込む手段、カッターポスト９中に上部に入口が設けられ下部または中間に出口が設けられた供給管を設けて、処理材を供給管を介してカッターポスト９の下側または中間より供給する手段など、いずれの手段でも処理材の供給可能な手段を採用すればよい。
また、処理材としては、一般に地盤改良に使用されるものであればよく、例えば、セメントスラリーやセメント系固化材液であっても、軽量体等の粒状体等でも、汚染地盤の浄化用のものであっても、振動遮断用の目的に使用されているものであってもよい。
【００２７】
前記のようにして地中壁の築造が完了したら、固定ピン１７を抜き取り、地中壁をアーム４に対し回転可能とし、前記建て込み方法を逆に、チェーン式掘削装置８を引き上げながらエンドレスチェーン１０、１０を逆回転させ、徐々に垂直状態から水平状態にして地上に置くか、クレーンで吊り上げて地上の架台上に置く。この他にチェーン式掘削装置との連結ピンを取り外し、クレーンを用いてチェーン式掘削装置を垂直に抜き取ってもよい。その後、抜き取ったチェーン式掘削装置８は分解して運搬する。
【００２８】
なお、前記実施の形態は、この発明を制限するものではなく、この発明は要旨を逸脱しない範囲内において種々の変形が許容される。
【産業上の利用可能性】
【００２９】
この発明は、地中壁の築造ばかりでなく地盤改良の掘削にも利用可能である。
【図面の簡単な説明】
【００３０】
【図１】この発明の実施の形態に係る地中壁の築造装置を示す斜視図である。
【図２】この発明の実施の形態に係る地中壁の築造装置を示す側面図である。
【図３】この発明の実施の形態に係る地中壁の築造装置を示す平面図である。
【図４】チェーン式掘削装置のカッターポストを示す正面図である。
【図５】チェーン式掘削装置の上端左右外側の駆動スプロケット部分の拡大側面図である。
【図６】チェーン式掘削装置の上端中央の駆動スプロケット部分の拡大側面図である。
【図７】チェーン式掘削装置を示す側面図で、一部分が拡大して示されている。
【図８】エンドレスチェーンの掘削歯を説明する拡大平面図である。
【図９】エンドレスチェーンの邪魔板を説明する拡大平面図である。
【図１０】この発明の地中壁の築造工法を施工順（Ａ）（Ｂ）（Ｃ）（Ｄ）に示す説明図である。
【図１１】次の施工工程を施工順（Ｅ）（Ｆ）（Ｇ）に示す説明図である。
【図１２】従来例を示す斜視図である。
【符号の説明】
【００３１】
１  地中壁の築造装置
２  ベースマシン
３  走行体
４  アーム
４ａ  主アーム
４ｂ  第１アーム
４ｃ  第２アーム
８  チェーン式掘削装置
９  カッターポスト
１０  エンドレスチェーン
１１  掘削歯
１２  邪魔板
１３、１３ａ  駆動スプロケット
１４  ガイドスプロケット
１５、１６  モータ
１７  固定ピン
２１  ガイドトレンチ
２１ａ  傾斜底面
２１ｂ  最深部
【図１】
2005030142.tif 000003
【図２】
2005030142.tif 000004
【図３】
2005030142.tif 000005
【図４】
2005030142.tif 000006
【図５】
2005030142.tif 000007
【図６】
2005030142.tif 000008
【図７】
2005030142.tif 000009
【図８】
2005030142.tif 000010
【図９】
2005030142.tif 000011
【図１０】
2005030142.tif 000012
【図１１】
2005030142.tif 000013
【図１２】
2005030142.tif 000014